(57)【要約】【課題】球抜き機構を適切に配設して、裏機構体における開口領域を効果的に拡大することができる遊技機の球流下構造を提供すること。【解決手段】遊技機の球流下構造１０は、裏機構枠２に球払出装置６と球通路３とを配設してなる。球通路３は、裏機構枠２の上辺部２１における左右方向Ｗの一側部２０１から他側部２０２まで配設した第１球通路４と、第１球通路４の他側部２０２に連結し、裏機構枠２の側辺部２２における上下方向Ｈの上端部２０３から下端部２０４まで配設した第２球通路５とからなる。球払出装置６は、裏機構枠２の下辺部２４において、第２球通路５の下端部に連結してある。下辺部２４には、球払出装置６によって遊技球を払い出すための払出通路６２と、遊技機１の外部へ遊技球を導くための球抜き通路７１とが形成してある。【選択図】図１
2007330397.tif 000002
【特許請求の範囲】
【請求項１】
遊技機における本体枠の裏側に配設した裏機構体に、球払出装置と、該球払出装置へ遊技球を供給する球通路とを配設してなる遊技機の球流下構造において、
上記裏機構体は、上辺部、側辺部及び下辺部によって形成してあり、
上記球通路は、上記上辺部における左右方向の一側部から他側部まで配設した第１球通路と、該第１球通路の他側部に連結し、上記側辺部における上下方向の上端部から下端部まで配設した第２球通路とからなり、該第２球通路は、上記側辺部における左右方向において１条の状態で形成してあり、
上記球払出装置は、上記下辺部において、上記第２球通路の下端部に連結してあり、
上記下辺部には、上記球払出装置によって上記第２球通路から流下する遊技球を払い出すための払出通路と、上記第２球通路から流下する遊技球を、上記下辺部の中央側に向けて流下させた後、当該遊技機の外部へ導く球抜き通路とが形成してあることを特徴とする遊技機の球流下構造。
【請求項２】
請求項１において、上記第２球通路は、当該遊技機の前後方向に蛇行して形成してあり、上記球払出装置に連結される下端部近傍の蛇行部分の傾斜角度が、その上流側の蛇行部分の傾斜角度よりも急になっていることを特徴とする遊技機の球流下構造。
【請求項３】
請求項１又は２において、上記第１球通路における遊技球の通路幅は、左右方向における半分以上の長さの範囲に渡って、上記第２球通路における遊技球の通路幅よりも、遊技球が１球分の幅以上広く形成してあることを特徴とする遊技機の球流下構造。
【請求項４】
請求項１〜３のいずれか一項において、上記第２球通路は、上記裏機構体における上記一方の側辺部を構成する裏機構側壁と、該裏機構側壁に係合する通路構成部材とによって形成してあることを特徴とする遊技機の球流下構造。
【発明の詳細な説明】
【技術分野】
【０００１】
本発明は、遊技機の球流下構造に関する。
【背景技術】
【０００２】
パチンコ遊技機等の遊技機において、遊技盤の遊技領域へ発射された遊技球は、遊技盤に配設した入賞口に入賞するか、又は入賞口に入賞せずに遊技盤の下部に形成したアウト口に入る。そして、入賞口に入賞した遊技球であるセーフ球（入賞球）を入賞検知センサにより検知したときには、本体枠の裏面側に配設した裏機構枠においては、球払出装置から球供給通路を介して遊技機の前面側に配設した球皿へ、入賞球数に応じて所定数の遊技球を払い出している。
【０００３】
このような遊技機としては、例えば、特許文献１に開示されたものがある。この特許文献１の遊技機においては、遊技盤を取り付けた内枠（本体枠）の裏面において、遊技球を貯える貯球部であるタンク（タンク排出通路）の略真下に下方へ直線状に延出する樋（球供給通路）を設けると共に、この樋の出口近傍に賞球払出手段（球払出装置）を設け、かつこの賞球払出手段から払い出した遊技球を、内枠の前面側に配設した貯球皿へ導く球案内通路を設けている。これにより、樋の占有スペースを小さくして、遊技盤の裏面側における部品配置スペースを拡大すると共に、賞球払出手段から球案内通路へ払い出す遊技球の衝撃を軽減している。
【０００４】
また、従来の遊技機においては、上記裏機構枠において、上記球供給通路を流下する遊技球を遊技機の外部へ抜き出すための球抜き通路及び球抜き機構を、球供給通路の外側において裏機構枠の開口部から離れる方向に向けて設けている。そして、球払出装置のメンテナンス等の際には、球抜き機構を操作して、球タンク及び球供給通路内に残った遊技球（抜き球）を、球抜き通路を介して遊技機の外部へ回収している。
【０００５】
しかしながら、上記特許文献１においては、上記球抜きをどのように取り扱うかについては一切開示されていない。そのため、球抜き通路や球抜き機構を適切に配設して、裏機構体における開口領域を拡大するためには、更なる工夫が必要とされる。
また、例えば、球抜き通路を遊技機の外側に向けて形成する場合や、球払出装置から球皿へ繋がる球払出通路の前後方向に分岐して設ける場合等も考えられる。しかしながら、これらの場合も、球抜き通路の構造が複雑になるなどの問題があり最善の方法とは言いがたい。
【０００６】
【特許文献１】特開２００４−８９５０６号公報
【発明の開示】
【発明が解決しようとする課題】
【０００７】
本発明は、かかる従来の問題点に鑑みてなされたもので、球抜き通路を適切に配設して、裏機構体における開口領域を効果的に拡大することができる遊技機の球流下構造を提供しようとするものである。
【課題を解決するための手段】
【０００８】
本発明は、遊技機における本体枠の裏側に配設した裏機構体に、球払出装置と、該球払出装置へ遊技球を供給する球通路とを配設してなる遊技機の球流下構造において、
上記裏機構体は、上辺部、側辺部及び下辺部によって形成してあり、
上記球通路は、上記上辺部における左右方向の一側部から他側部まで配設した第１球通路と、該第１球通路の他側部に連結し、上記側辺部における上下方向の上端部から下端部まで配設した第２球通路とからなり、該第２球通路は、上記側辺部における左右方向において１条の状態で形成してあり、
上記球払出装置は、上記下辺部において、上記第２球通路の下端部に連結してあり、
上記下辺部には、上記球払出装置によって上記第２球通路から流下する遊技球を払い出すための払出通路と、上記第２球通路から流下する遊技球を、上記下辺部の中央側に向けて流下させた後、当該遊技機の外部へ導く球抜き通路とが形成してあることを特徴とする遊技機の球流下構造にある（請求項１）。
【０００９】
本発明の裏機構体の側辺部には、球抜き通路が配置されていない。また、第２球通路は、側辺部における左右方向において１条の状態で形成してある。これにより、裏機構体における開口領域を側方に拡大することができる。
また、本発明の裏機構体においては、遊技球は、上辺部の左右方向におけるほぼ全長に渡って配設した第１球通路と、側辺部の上下方向におけるほぼ全長に渡って配設した第２球通路とに貯留することができる。これにより、裏機構体における遊技球の貯留数を増加させることができる。また、第２球通路においても多くの遊技球を貯留することができることにより、第１球通路の上下方向の高さ寸法をできるだけ小さくして、裏機構体における開口領域を上方に拡大することができる。
【００１０】
また、本発明においては、第２球通路から流下する遊技球を遊技機の外部へ導くための球抜き通路を、下辺部における左右方向の他側部から中央側に向けて形成している。これにより、球抜き通路を、裏機構体の下辺部を利用して配設することができ、スペース効率よく配設することができる。
それ故、本発明の遊技機の球流下構造によれば、球抜き通路を適切に配設して、裏機構体における開口領域を効果的に拡大することができる。
【発明を実施するための最良の形態】
【００１１】
上述した本発明における好ましい実施の形態につき説明する。
本発明において、上記第２球通路は、当該遊技機の前後方向に蛇行して形成してあり、上記球払出装置に連結される下端部近傍の蛇行部分の傾斜角度を、その上流側の蛇行部分の傾斜角度よりも急に形成することが好ましい（請求項２）。
この場合には、第２球通路において、球払出装置に近い下端部近傍の蛇行部分は、傾斜角度を急にして、より鉛直方向に近い状態で形成することにより、球払出装置による迅速な遊技球の払出が可能になる。また、下端部近傍の蛇行部分よりも上流側の蛇行部分は、傾斜角度を緩やかにして、より水平方向に近い状態で形成することにより、球圧（上流側の遊技球がその下流側の遊技球に与える圧力）を適切に減少させると共に、第２球通路における遊技球の貯留量をより多く確保することができる。
【００１２】
また、上記第１球通路における遊技球の通路幅は、左右方向における半分以上の長さの範囲に渡って、上記第２球通路における遊技球の通路幅よりも、遊技球が１球分の幅以上広く形成することが好ましい（請求項３）。
この場合には、第２球通路における遊技球の流下列数に対して、第１球通路における遊技球の流下列数を多くすることができる。そのため、上記球払出装置によって第２球通路を流下する遊技球の流下速度に対して、第１球通路を流下する遊技球の流下速度が遅いにも拘らず、第１球通路を流下する遊技球を、第２球通路を流下する遊技球へ容易に追従させることができる。
【００１３】
また、上記第２球通路は、上記裏機構体における上記一方の側辺部を構成する裏機構側壁と、該裏機構側壁に係合する通路構成部材とによって形成することが好ましい（請求項４）。
この場合には、裏機構側壁の剛性を利用して、第２球通路を構成することができる。そのため、第２球通路の剛性を向上させることができ、第２球通路における変形、たわみ等を小さくすることができる。
【実施例】
【００１４】
以下に、本発明の遊技機の球流下構造にかかる実施例につき、図面と共に説明する。
本例の遊技機１の球流下構造１０は、図１、図２に示すごとく、遊技機１における本体枠の裏側に配設した裏機構枠（裏機構体）２に、球払出装置６と、この球払出装置６へ遊技球Ｂを供給する球通路３とを配設してなる。
裏機構枠２は、上枠部（上辺部）２１、一対の側枠部（側辺部）２２、２３及び下枠部（下辺部）２４による枠形状を有しており、この枠形状の内側に、本体枠に配設した遊技盤の裏面側を開放する開口領域２０を形成してなる。
【００１５】
図１に示すごとく、上記球通路３は、上枠部２１における左右方向Ｗの一側部２０１から他側部２０２まで配設した第１球通路４と、この第１球通路４の他側部２０２に連結し、一方の側枠部２２における上下方向Ｈの上端部２０３から下端部２０４まで配設した第２球通路５とからなる。この第２球通路５は、一方の側枠部２２における左右方向Ｗにおいて１条の状態で形成してある。
【００１６】
また、図８に示すごとく、上記球払出装置６は、裏機構枠２の下枠部２４において、第２球通路５の下端部に連結してある。
また、下枠部２４には、球払出装置６によって第２球通路５から流下する遊技球Ｂを払い出すための払出通路６２と、第２球通路５から流下する遊技球Ｂを、下枠部２４の中央側に向けて流下させた後、遊技機１の外部へ導く球抜き通路７１とが形成してある。
【００１７】
以下に、本例の遊技機１の球流下構造１０につき、図１〜図１０と共に詳説する。
本例の遊技機１は、パチンコ遊技を行うパチンコ遊技機１である。図示は省略するが、このパチンコ遊技機１は、外枠に対して、遊技盤を配設してなる本体枠を開閉可能に配設してなる。また、本例の裏機構枠２は、本体枠の裏面側に開閉可能に配設してある。また、本体枠の前面側には、球払出装置６から払い出した遊技球Ｂを貯留する球皿が配設してある。この球皿は、本体枠に配設した前面パネルに配設してある。
【００１８】
また、本体枠における遊技盤には、液晶画面等の大型の表示部や入賞装置が配設してある。そして、上記裏機構枠２における開口領域２０には、上記大型の表示部の後方部分が配置される（図２参照）。
なお、本例において、前面側とは、遊技者と対向するパチンコ遊技機１の正面側のことをいい、裏面側とは、前面側の反対側のことをいう。図１において、パチンコ遊技機１の前後方向をＤで示し、前面側をＤ１で示す。
【００１９】
また、図８に示すごとく、本例の球払出装置６は、第２球通路５から流下する遊技球Ｂを所定数払い出す払出モータ６１と、第２球通路５における遊技球Ｂを、上記球抜き通路７１へ導くための球抜き機構７とを有している。この球抜き機構７は、第２球通路５から流下する遊技球Ｂを、球抜き通路７１を経由して当該遊技機１の外部へ導く際に操作するよう構成してある。また、上記払出通路６２は、球払出装置６内に形成してあり、払出モータ６１から払い出された遊技球Ｂを球皿へ導くよう構成してある。
【００２０】
また、図２に示すごとく、裏機構枠２の下枠部２４には、上記球払出装置６以外にも、交流電力を直流電力に変換する電源ユニット２４１、及び球発射装置（図示略）等の制御を行う制御ユニット２４２等が配設してある。
また、裏機構枠２における他方の側枠部２３は、必要な強度を確保して、その左右方向Ｗにおける厚みを極力薄くするために、板金（鋼板）２３１によって形成してある。そして、この板金２３１には、電気ケーブル２３３を収容する配線カバー２３２が設けてある。
【００２１】
図３に示すごとく、本例の第１球通路４は、遊技場の島設備等から遊技球Ｂを受け取って貯留する球タンク部４１と、この球タンク部４１の下流側に連結した球整流部４２とを有している。この球整流部４２は、前後方向Ｄにおいて４列状態で遊技球Ｂを流下させる第１整流部４２１と、この第１整流部４２１における遊技球Ｂの流下列数を絞って、前後方向Ｄにおいて２列状態で遊技球Ｂを流下させる第２整流部４２２とを有している。
【００２２】
また、図４に示すごとく、本例の第２球通路５は、前後方向Ｄに２列の通路部５１を設けてなり、前後方向Ｄにおいて２列状態で遊技球Ｂを流下させるよう構成してある。そして、２列の通路部５１は、前後方向Ｄに蛇行して（繰り返し屈曲して）形成してある。これにより、第２球通路５の左右方向Ｗにおける幅をできるだけ小さくすることができ、裏機構枠２の開口領域２０を拡大させることができる。
【００２３】
また、２列の通路部５１は、球払出装置６に連結される下端部近傍の蛇行部分５１２の傾斜角度を、その上流側の蛇行部分５１１の傾斜角度よりも急な傾斜角度に形成してなる。また、下端部近傍の蛇行部分５１２の下方には、鉛直方向に遊技球Ｂを流下させる鉛直部分５１３が連通してある。
【００２４】
このように、２列の通路部５１において、球払出装置６に近い下端部近傍の蛇行部分５１２の傾斜角度を急にして、より鉛直方向に近い状態で形成することにより、球払出装置６による迅速な遊技球Ｂの払出が可能になる。また、下端部近傍の蛇行部分５１２よりも上流側の蛇行部分５１１は、傾斜角度を緩やかにして、より水平方向に近い状態で形成することにより、球圧（上流側の遊技球Ｂがその下流側の遊技球Ｂに与える圧力）を適切に減少させると共に、２列の通路部５１における遊技球Ｂの貯留量をより多く確保することができる。
【００２５】
また、図４に示すごとく、本例においては、２列の通路部５１の下端部近傍の蛇行部分５１２及び鉛直部分５１３は、所定の払出球数、具体的には一回の賞球の払出球数（例えば１５球）又は一回の貸し球の払出球数（例えば２５球）以上の遊技球Ｂを収容できる長さにわたり、鉛直方向に近い角度で蛇行させて形成した。この構成により、下端部近傍の蛇行部分５１２及び鉛直部分５１３を除く上流側の蛇行部分５１１で十分に球圧を減少させた状態で、所定の払出球（遊技球Ｂ）を速やかに順次払出整流カム６１１の凹部に収容させることができる。
【００２６】
また、同図に示すごとく、本例の２列の通路部５１は、遊技球Ｂが半球分から１球分の寸法を前後方向Ｄに蛇行して形成してある。これにより、上流側の遊技球Ｂからその下流側の遊技球Ｂに加わる球圧を減少させつつ、第２球通路５の前後方向Ｄの寸法を小さく抑えることができる。そのため、本例のパチンコ遊技機１を遊技場に設置した際に、第２球通路５を含む裏機構枠２の一方の側枠部２２が、この側枠部２２の後方に位置する遊技場の島設備等に干渉することを避けることができる。
【００２７】
また、図３に示すごとく、上記第１球通路４における前後方向Ｄの通路幅ｓ１は、左右方向Ｗにおける半分以上の長さの範囲に渡って、上記第２球通路５における前後方向Ｄの通路幅ｓ２よりも、遊技球Ｂが１球分の幅以上広く形成してある。具体的には、本例の第１球通路４は、上記球タンク部４１の通路幅ｓ１及び球整流部４２の第１整流部４２１の通路幅ｓ１が、第２球通路５の通路幅ｓ２よりも、遊技球Ｂが２球分の幅以上広くなっている。
【００２８】
これにより、第２球通路５における遊技球Ｂの流下列数に対して、第１球通路４における遊技球Ｂの流下列数を多くすることができる。そのため、上記払出モータ６１によって第２球通路５を流下する遊技球Ｂの流下速度に対して、第１球通路４を流下する遊技球Ｂの流下速度が遅いにも拘らず、第１球通路４を流下する遊技球Ｂを、第２球通路５を流下する遊技球Ｂへ容易に追従させることができる。
【００２９】
また、図１、図５に示すごとく、上記第２球通路５は、裏機構枠２における一方の側枠部２２を構成する裏機構側壁２２Ａと、この裏機構側壁２２Ａに係合する通路構成部材５Ａとによって形成してある。この通路構成部材５Ａは、上記２列の通路部５１の３辺の側壁を形成してなり、残りの１辺の側壁は、上記裏機構側壁２２Ａによって形成してある。そして、図６に示すごとく、通路構成部材５Ａは、単独状態においては、２列の通路部５１を開放させた状態にある一方、図５に示すごとく、裏機構枠２に配設したときには、裏機構側壁２２Ａによって開放部分を閉塞して、遊技球Ｂを流下させる２列の通路部５１を形成するよう構成してある。
【００３０】
また、図１に示すごとく、裏機構側壁２２Ａは、裏機構枠２における上枠部２１及び下枠部２４を構成する樹脂製の枠構成部材２Ａと一体成形してある。
本例においては、裏機構側壁２２Ａの剛性を利用して、第２球通路５を構成することができる。そのため、第２球通路５の剛性を向上させることができ、第２球通路５における変形、たわみ等を小さくすることができる。
【００３１】
また、図４、図５に示すごとく、通路構成部材５Ａを裏機構枠２における裏機構側壁２２Ａに固定するための固着部５２は、上記２列の通路部５１の屈曲により通路構成部材５Ａに生じたスペースを利用して形成してある。本例の通路構成部材５Ａは、断面略長方形状を有しており、固着部５２は、この断面略長方形状の断面外形内に収容して形成してある。本例の固着部５２は、通路構成部材５Ａと裏機構側壁２２Ａとの位置決めを行って両者を係合させる係合部５３、及び通路構成部材５Ａと裏機構側壁２２Ａとの外れ防止を行う外れ防止部５４を有している。
【００３２】
図６に示すごとく、本例の係合部５３は、通路構成部材５Ａを裏機構側壁２２Ａに対して前後方向Ｄからスライドさせて嵌合させる形状を有している。そして、図７に示すごとく、通路構成部材５Ａには、前後方向Ｄに同一断面形状を有する突起部５３１が形成してあり、裏機構側壁２２Ａには、前後方向Ｄに同一断面形状を有し上記突起部５３１を嵌入させる嵌入凹部２２４が形成してある。なお、通路構成部材５Ａに嵌入凹部２２４を形成し、裏機構側壁２２Ａに突起部５３１を形成することもできる。
また、図５に示すごとく、本例の外れ防止部５４は、裏機構側壁２２Ａに形成した貫通穴を通って、通路構成部材５Ａに形成したねじ部に螺合させるビス５４１によって構成してある。
【００３３】
また、図６に示すごとく、裏機構側壁２２Ａは、側壁本体部２２１と、この側壁本体部２２１から立設した立設部２２２と、立設部２２２から側壁本体部２２１と平行に形成した挟持部２２３とを有している。この側壁本体部２２１、立設部２２２及び挟持部２２３によって、通路構成部材５Ａを嵌入する凹部２２０が形成してある。
そして、図５に示すごとく、通路構成部材５Ａを裏機構側壁２２Ａの凹部２２０内に嵌入したときには、通路構成部材５Ａと裏機構側壁２２Ａとは、上記係合部５３、外れ防止部５４によって前後方向Ｄ、左右方向Ｗ及び上下方向Ｈの位置決めがなされる。
【００３４】
図８に示すごとく、上記裏機構枠２の下枠部２４には、球皿へ遊技球Ｂを導くための払出通路本体２５が形成してあり、球払出装置６内における払出通路６２は、払出通路本体２５に連結してある。
また、裏機構枠２の下枠部２４には、遊技球Ｂを回収してパチンコ遊技機１の外部へ排出するための回収通路２６が形成してあり、球払出装置６内の後述する球抜き通路７１の出口部は、回収通路２６上に開口している。
【００３５】
同図に示すごとく、上記払出モータ６１の出力軸には、遊技球Ｂを１球ずつ整流して払い出す払出整流カム６１１が設けてある。本例の払出整流カム６１１は、第２球通路５における２列の通路部５１に対応して設けてある。また、球払出装置６には、払出整流カム６１１から払い出す遊技球Ｂを検出する払出検出スイッチ６１２が配設してある。
本例の球払出装置６は、裏機構枠２と別体に形成した合成樹脂からなる装置用ケース６０内に、払出モータ６１、払出整流カム６１１、払出検出スイッチ６１２、払出通路６２、球抜き機構７及び球抜き通路７１を一体的に配設してなる。
【００３６】
同図に示すごとく、球払出装置６２には、その上面一側端側が側枠部２２と連結され、斜め下方に傾斜する傾斜部６２１が形成してある。また、傾斜部６２１の下流側には、略鉛直方向に屈曲した鉛直部６２２が形成してあり、鉛直部６２２の下流側には、再び斜めに傾斜する傾斜部６２３が払出整流カム６１１に対向するように形成してある。上記傾斜部６２１と鉛直部６２２の間の屈曲部６２４には、球抜き機構７の切換弁７２が配設してある。
【００３７】
また、傾斜部６２１の略延長線上には、球抜き通路７１が形成してあり、上記切換弁７２が抜出位置７０２に切り替わると、傾斜部６２１と球抜き通路７１が連通するように構成してある。また、球抜き通路７１は、前述の通りその出口が回収通路２６上に開口している。
【００３８】
図９、図１０に示すごとく、本例の球抜き機構７は、第２球通路５を払出通路６２に連通させるか又は球抜き通路７１に連通させるかの切替を行う切替弁７２と、この切替弁７２を切替操作するための操作部材７３とを有している。
上記切替弁７２は、図８に示すごとく、第２球通路５内を流下する遊技球Ｂを払出整流カム６１１及び払出通路６２へ導く払出位置７０１と、図１０に示すごとく、第２球通路５内の遊技球Ｂを球抜き通路７１及び回収通路２６へ導く抜出位置７０２とに移動可能である。
【００３９】
また、図９、図１０に示すごとく、切替弁７２は、その上部に形成した回動支点部７２１を中心に回動可能であり、球払出装置６内の払出通路６２の一部を形成する通路形成部７２２を有している。また、切替弁７２は、操作部材７３によって、払出位置７０１と抜出位置７０２とのいずれにおいても安定して維持されるよう構成してある。
上記操作部材７３は、回動支点部７３１を中心に回動可能であり、パチンコ遊技機１の管理者が回動操作する操作つまみ７３２と、切替弁７２に係合する部材係合部７３３と、この部材係合部７３３を切替弁７２と係合する位置に維持するよう付勢する弾性変形付勢部７３４とを有している。
【００４０】
そして、図８に示すごとく、パチンコ遊技機１において遊技を行う通常時においては、切替弁７２を払出位置７０１に維持しておく。このとき、操作部材７３は、この操作部材７３における部材係合部７３３の一部が切替弁７２に係合することによって、この切替弁７２を払出位置７０１に維持することができる。
【００４１】
一方、図９に示すごとく、パチンコ遊技機１のメンテナンス等を行うメンテナンス時には、上記管理者は、操作つまみ７３２を回動操作し、操作部材７３を弾性変形付勢部７３４による付勢力に抗して回動させる。このとき、第２球通路５内に残留する遊技球Ｂが、球圧によって切替弁７２における通路形成部７２２を押すことにより、当該切替弁７２が払出位置７０１から抜出位置７０２へ回動する。
【００４２】
次いで、図１０に示すごとく、遊技球Ｂによって切替弁７２が抜出位置７０２に回動したときに、管理者が操作つまみ７３２を放すと、弾性変形付勢部７３４による付勢力を受けて操作部材７３が回動する。そして、操作部材７３における部材係合部７３３の他の一部が切替弁７２に係合することによって、この切替弁７２を抜出位置７０２に維持することができる。
【００４３】
その後、第１球通路４及び第２球通路５内の遊技球Ｂのすべてを回収通路２６へ流下させた後に、管理者が操作部材７３を再び回動操作すると、切替弁７２は、その自重により抜出位置７０２から払出位置７０１へ回動復帰する。そして、管理者が操作つまみ７３２を放すことにより上記通常時に戻り、この切替弁７２を払出位置７０１に維持することができる。
【００４４】
なお、本例の球払出装置６は、回転体周面に凹凸部を有するカム方式（上記払出整流カム６１１を用いた構成）により構成したが、これ以外にも、あらゆる形式の構成にすることができ、例えば、縦型円筒カム（スクリュー）方式、横型円筒カム（スクリュー）方式、ソレノイドによるゲート開閉方式等の構成にすることができる。
また、本例の球抜き機構７は、球払出装置６の装置用ケース６０内に一体的に配設したが、球払出装置６の形式によっては球払出装置６とは別体にし、球払出装置６の近傍に隣接させて配設することもできる。
【００４５】
本例のパチンコ遊技機１の球流下構造１０においては、上記裏機構枠２の上枠部２１の左右方向Ｗにおけるほぼ全長に渡って第１球通路４を配設し、裏機構枠２の側枠部の上下方向Ｈにおけるほぼ全長に渡って第２球通路５を配設している。また、球払出装置６は、裏機構枠２の下枠部２４において、第２球通路５の下端部に連結してあり、球払出装置６には、払出モータ６１、払出通路６２及び球抜き機構７を設けている。
【００４６】
これにより、本例の裏機構枠２の側枠部２２には、払出モータ６１及び球抜き機構７等の機能部品が配置されていない。また、裏機構枠２の側枠部２２には、球抜き通路７１が配置されていない。さらに、第２球通路５は、側枠部２２における左右方向Ｗにおいて１条の状態で形成してある。これにより、裏機構枠２における開口領域２０を側方に拡大することができる。
【００４７】
また、裏機構枠２において、遊技球Ｂは、上枠部２１の左右方向Ｗにおけるほぼ全長に渡って配設した第１球通路４と、側枠部の上下方向Ｈにおけるほぼ全長に渡って配設した第２球通路５とに貯留することができる。これにより、裏機構枠２における遊技球Ｂの貯留数を増加させることができる。また、第２球通路５においても多くの遊技球Ｂを貯留することができることにより、第１球通路４の上下方向Ｈの高さ寸法をできるだけ小さくして、裏機構枠２における開口領域２０を上方に拡大することができる。
【００４８】
また、本例においては、第２球通路５から流下する遊技球Ｂを遊技機１の外部へ導くための球抜き通路７１を、下枠部２４における左右方向Ｗの他側部２０２から中央側に向けて形成している。これにより、球抜き通路７１を、裏機構枠２の下枠部２４を利用して形成することができ、スペース効率よく形成することができる。
それ故、本例のパチンコ遊技機１の球流下構造１０によれば、球抜き機構７を適切に配設して、裏機構枠２における開口領域２０を効果的に拡大することができる。
【００４９】
なお、本例においては、裏機構枠２を、上枠部２１、一対の側枠部２２、２３及び下枠部２４からなるロ字状に形成した。これ以外にも、裏機構枠２は、例えば、上枠部２１、一方の側枠部２２及び下枠部２４からなるコ字状に形成することもできる。
【図面の簡単な説明】
【００５０】
【図１】実施例におけるパチンコ遊技機の球流下構造を裏面側から見た状態で示す斜視説明図。
【図２】実施例における裏機構枠の全体を裏面側から見た状態で示す裏面説明図。
【図３】実施例における第１球通路の周辺を裏面側から見た状態で示す斜視説明図。
【図４】実施例における第２球通路の周辺を側方から見た状態で示す側面説明図。
【図５】実施例における第２球通路の一部を示す断面説明図。
【図６】実施例における第２球通路を構成する通路構成部材及び裏機構側壁の係合前の状態を示す断面説明図。
【図７】実施例における第２球通路の固着部の周辺を示す斜視説明図。
【図８】実施例における球払出装置の周辺を前面側から見た状態で示す断面説明図。
【図９】実施例における切替弁が払出位置にある状態の球抜き機構の周辺を前面側から見た状態で示す説明図。
【図１０】実施例における切替弁が抜出位置にある状態の球抜き機構の周辺を前面側から見た状態で示す説明図。
【符号の説明】
【００５１】
１  パチンコ遊技機
１０  球供給構造
２  裏機構枠（裏機構体）
２０  開口領域
２Ａ  枠構成部材
２１  上枠部（上辺部）
２０１  一側部
２０２  他側部
２２  一方の側枠部（側辺部）
２０３  上端部
２０４  下端部
２２Ａ  裏機構側壁
２３  他方の側枠部（側辺部）
２４  下枠部（下辺部）
３  球通路
４  第１球通路
５  第２球通路
５Ａ  通路構成部材
６  球払出装置
６１  払出モータ
６２  払出通路
７  球抜き機構
７１  球抜き通路
７２  切替弁
７３  操作部材
Ｂ  遊技球
Ｈ  上下方向
Ｗ  左右方向
Ｄ  前後方向
【図１】
2007330397.tif 000003
【図２】
2007330397.tif 000004
【図３】
2007330397.tif 000005
【図４】
2007330397.tif 000006
【図５】
2007330397.tif 000007
【図６】
2007330397.tif 000008
【図７】
2007330397.tif 000009
【図８】
2007330397.tif 000010
【図９】
2007330397.tif 000011
【図１０】
2007330397.tif 000012